(57)【要約】      （修正有）【課題】果実等栽培に必要とされる圃場に敷設されたマルチシートの収納及び再使用にあたって（１）マルチシートが果たす役割（機能）低下防止（２）シート敷設及び収納の労力負担軽減、（３）マルチシートの繰返し使用を可能にし、コストダウンを図る。【解決手段】マルチシートの収納及び再使用にあたって（１）使用後のマルチシートを効率良くしかもマルチシートの品質及び機能を損なうことなく収納、保管できること（２）マルチシート巻取り機は軽量で、圃場で簡単に組立て、分解ができ、動力源は人力とすること（３）巻取り作業において圃場のスペースをコンパクトにすること（４）再敷設作業を効率化することを主眼とした本マルチシート巻取り機。【選択図】図１
0003102535.tif 000002
【実用新案登録請求の範囲】
【請求項１】
圃場に敷設されたマルチシートを使用後に繰返し使用する目的にて回収可能であることを特徴とするマルチシート巻取り機
【請求項２】
軽量なアルミ製パイプを主材とする現地組立て方式をとり、使用後は分解してコンパクトに収納でき、巻取り動力は人力であることを特徴とする請求項１に記載のマルチシート巻取り機
【請求項３】
マルチシート巻取り巾が１０００ｍｍから３０００ｍｍの範囲であることを特徴とする請求項１に記載のマルチシート巻取り機
【考案の詳細な説明】
【技術分野】
【０００１】  野菜、果物等の保温、防風、防水、透湿、防草等の目的で一般的に呼称するマルチシートを用いて栽培する農業分野
【背景技術】
【０００２】  従来、使用しているシートは収穫後回収して次回に再使用するために、一般的には手作業で付着する泥濘及び夾雑物を落とさずに不規則に畳んだり、丸めたりしてシート自体に深いシワや穴疵を発生させたまま収納小屋又は物置に次シーズン使用まで約半年間収納さされている。しかし、これらの収納方法では保管中のシートの品質保全は困難であり、更にシート再使用時における敷設が極めて非効率であること及び品質劣化が進み、使用に耐えない状況が発生して作業者にとってシートの再使用に苦慮するところである。特に巾広なシート（約２ｍ以上）の収納及び取扱いの負担は大きく、再使用を困難にしている。現状では２年前後で破棄する場合が多く、コスト負担が大きい。現在、マルチシートの収納及び再使用時の労力負担が少なく、品質維持が可能で、更にコストダウンできる収納方法は見当たらない。【０００３】巻取り機及びシート巻取り機について関係特許を検索の結果、１７６件が検出されたが、精査の結果、特願平１１−２６０６８８農業用マルチシートの巻取回収装置が本考案に近いとみられたが、本考案の請求項に該当する項目は見当たらなかった。
【考案の開示】
【考案が解決しようとする課題】
【０００４】  使用後のシートを収納する際、各シートを圃場から引上げ、手作業で折り畳むか、ただ丸めてから収納小屋に運び、積上げて長期間保管する場合が多い。この収納形態では（１）シワがきつい状態で発生し、再使用敷設時には拡布に手間が掛かると共にシートのシワによる光線の乱反射で保温の効果及び光同化作用が減殺し、更にシワ間に雨水が溜まってシート本来の諸機能（透湿、防水等）が低下する。（２）敷設時の作業効率が極端に低下する。拡布、巾揃えのためのシワ伸ばし、清掃等作業スペース取りが圃場では困難である。（３）不自然な状態での過荷重収納等によりシートの品質劣化が早く、耐久性が低下するため新シートへの替えが早まりコストアップに繋がる。これらの問題を解決する課題として（１）シートが果たす役割（機能）の低下を防止する。（２）シート敷設の労力負担を軽減し、シート敷設作業の効率低下を防ぐ。（３）シート自体の品質劣化を防ぐ。（４）シートの繰返し使用を可能にし、コストダウンを図ること（５）しかも安価であり、採用し易くすることである。
【課題を解決するための手段】
【０００５】  本考案の目的は前述の課題を解決するために（１）使用後のシートを敷設の圃場から容易に且つ効率良く収納し、保管すること（２）収納に際しシートの品質保持を確保すること（３）保管シートの収納スペースをコンパクトにすること（４）シートを収納する巻取り機はは軽量でスペースをとらないように主要な材料はアルミパイプを用いて軽量化し、分解、組立て式とすること（５）巻取り機は極力安価とすることである。これらの目的を達成するためにマルチシート巻取り機（図１）を考案した。本考案のマルチシート巻取り機は全巾拡布の状態で敷設されている圃場から直接巻き取り、従来は４〜５人の手作業であるが、本考案の巻取り機は１ないし２人で巻き取り可能であり、しかも人力によるハンドル操作で容易にマルチシートの巻取りが可能となる。圃場でのコンパクトなスペース内で主要素材がアルミパイプであるため簡単に組立てが可能であり、使用しない時の巻取り機は巻取り機そのものを構成するアルミパイプ単位まで分解でき、コンパクトに運搬、収納が可能である。マルチシートの品質確保として本考案の巻取り機は三部分から構成されている。第一部分Ａは巻き取り部分で、塩化ビニール製パイプ２が１０００ｍｍから３０００ｍｍまで拡布状態で巻き取ることができ、巻取り後は簡単に取り外しが可能で、巻き取った状態で収納、保管されるため、シワの発生がなく、所定の巾も確保される。第二部分Ｂはシートに付着する夾雑物、汚泥、水分を除去するドクターバーが巻取り部分の直前に二本据え付けてあり、シートの表裏に付着する汚泥類を除去する。第三部分Ｃは圃場からシートを引上げる先端部分であり、拡布作用をしながらシワを伸ばし、巾を揃える働きをし、更に比較的に大きい付着物を取り除く作用を行う。これら三部分の組合わせにより、マルチシートは再使用に耐えられる品質を確保できる。
【考案の効果】
【０００６】  従来の手作業と本考案のマルチシート巻取り機を比較するとマルチシート（２ｍ巾）回収作業において作業人員を約５０％減員（男子又は女子４人から２人）しても回収作業時間は１／３以下に短縮できる。突発的事故によるマルチシートの破断損傷を除いて従来の手作業による乱雑な収納ではマルチシートの繰返し使用は２回前後とみられるが、本考案のマルチシート巻取り機によって巻き取られたマルチシートは５回以上の再使用が可能である。更にシートを再使用時にシート敷設の効率は約５割方向上するものと見られる。
【考案を実施するための最良の形態】
【０００７】  使用後のマルチシートを効率良く整理収納し、マルチシートの再使用を可能にする手段を講ずることであり、その手段が本考案のマルチシート巻取り機（図１）である。（以後、マルチシートをシートと呼ぶ）本考案のシート巻取り機は三つの機能を連結させた構成になっている。先ず、ステインレス製駆動巻取りローラー１にシートを巻き取る塩化ビニール製パイプ２を装着する。駆動巻取りローラー１には軸受け５が装着され、駆動源である手動ハンドル３のパイプと直結し、巻取り終了後は駆動巻取りローラー１と手動ハンドル３は取り外しでき、シート巻取りパイプ２を取り出せる。シート巻取りパイプ２は装着時に駆動巻取りローラー１にＲピン６で２個所固定される。手動ハンドル３には把手４が取付けられ、把手を握って手動ハンドル３を回転駆動させ、巻取る。駆動巻取りローラー１直前にアルミ製ローラー７が巻取りを容易にするため取付けてある。（Ａ部分）【０００８】ローラー７直前にシート表裏に付着する夾雑物、泥濘、水分等を掻き取るドクターバー８が二本全巾に取付けてある。ドクターラバー８はアルミ製パイプ９に取付け、拡布機能を与えるためにくの字型にしている。ドクターバーの前にはドクター機能を効果的にするためアルミ製パイプ１０を取付けている。（Ｂ部分）【０００９】シート巻取り機先端部分は圃場から引上げたシートをシート巻取り機に引込み、シワを伸ばし、拡布して、更に粗大な夾雑物を除去する機能を有している。シートの引込みは三角型アルミ製パイプ１５，１６の上下２枚によりシートを挟込み、巾出しをしながらシート導入の役割を果たす。各アルミ製パイプバー１１，１２，１３，１４、１５があり、各パイプはパイプ１１、１２を除いた３本のパイプ１３，１４、１５は上方向に湾曲させ、引込んだシートのシワを伸ばし、巾を整え、付着する大きな夾雑物を取除く役割を果たす。（Ｃ部分）【００１０】  シート巻取り（Ａ部分）夾雑物除去（Ｂ部分）シートの引込み、拡布、シワ除去（Ｃ部分）の三つの機能により巻取り機によって巻取られたシートは巾揃えされ、シワは伸ばされ、夾雑物及び水分が除去されてコンパクトなロール状態となって保管される。これにより品質劣化への影響も排除される。巻取られたシート巻取りパイプ２を駆動巻取りローラー１及び手動ハンドルから外し、収納小屋へ運搬し、収納保管する。本考案のシート巻取り機の必要作業員は１人で可能であるが、巾揃えが必要な場合には更に１人を付けるのみで良い。巻取り操作は簡単で容易であるため女性でも操作できる。シート巻取りが終了した後にはシート巻取り機を各ローラー、パイプレベルまで分解可能である。分解した各部品はコンパクトなスペースに収納保管できる。再使用時には約３平方メートルのスペース内で簡単に組立てができる。故に現地組立てが可能であり、組立ては各部品にナンバーが付されているのでナンバーを照合しながら接続、組立てができる。巻取るシートの巾は１０００ｍｍから３０００ｍｍである範囲で基本的な問題はなく、巻取り可能である。シート長さは扱い易さ、運搬時の問題がなければ特に制限はないが、通常のマルチシートの長さ単位が１００ｍであるため１００ｍ巻きとしている。
【実施例】
【００１１】  佐賀県杵島郡杵島農協みかん部会がみかんの糖度アップによる品質改良に着手し、みかん畑に透湿防水マルチシート敷設。巾３０００ｍｍ×長さ１００ｍのマルチシートを本考案によるシート巻取り機で巻取り、収納するテストを公開実施した。みかん樹木の畝と畝間に巾３０００ｍｍのシートを敷設し、部会員２名（みかん生産農家）により巻取りテストを数回実施した結果、約５分〜１０分以内で巻取りを完了した。男子及び女子による各作業を各々行ったが両者共特に問題はなかった。巻取り機の組立て、分解も同じ作業者で行われ、問題なく実施された。
【図面の簡単な説明】
【００１２】
【図１】  「マルチシート巻取り機全体を示した立体図である」
【図２】  「マルシート巻取り部分を示した立体図である」
【図３】  「ドクターバー部分を示した立体図である」
【符号の説明】
【００１３】  Ａ  シート巻取り部分
Ｂ  夾雑物除去部分
Ｃ  シート導入部分
１  マルチシート
２  駆動巻取りローラー
３  巻取りパイプ
４  手動巻取りハンドル
５  ハンドル把手
６  軸受
７  固定用Ｒピン
８  抑えローラー
９  ドクター取付けパイプ
１０  ラバー製ドクター
１１  抑えローラー
１２  拡布用パイプ
１３  湾曲拡布パイプ（後方）
１４  湾曲拡布パイプ（中間）
１５  湾曲拡布パイプ（先端）
１６  三角型パイプ枠（上部）
１７  三角型パイプ枠（下部）
１８  シート流れ方向
【図１】
0003102535.tif 000003
【図２】
0003102535.tif 000004
【図３】
0003102535.tif 000005
【手続補正書】
【提出日】平成16年1月9日(2004.1.9)
【手続補正１】
【補正対象書類名】実用新案登録請求の範囲
【補正対象項目名】全文
【補正方法】変更
【補正の内容】
【実用新案登録請求の範囲】
【請求項１】
圃場に敷設されたマルチシートを使用後に廃棄するのではなく、繰り返して使用できる目的で回収可能な巻取機として、敷設されたシートを引込む上下二重の三角型バーで構成されている先端部分と引込んだマルチシートを拡布するバー及び付着した汚泥や夾雑物を除去するドクターバーで構成される中間部分と拡布及び清浄化したマルチシートを巻取ローラーに巻き取る末端部分の三装置を組合わせて作られたことを特徴とするマルチシート巻取り機
【請求項２】
巻取り機の約８５％が軽量化を目的にアルミ製パイプの接合で作られ、マルチシートの巻取り、巻取り機の組立及び分解、分解後の巻取り機の運搬は動力として人力で稼動できることを特徴とする請求項１に記載のマルチシート巻取り機
【請求項３】
マルチシートの巻取り巾が１０００ｍｍから３０００ｍｍの範囲であることを特徴とする請求項１に記載のマルチシート巻取り機